(57)【特許請求の範囲】
【請求項１】
圃場のホールクロップ作物を切断してロールベールに梱包成形するためのホールクロップ用ロールベーラであって、
機体の横方向にオフセットされて、ホールクロップ作物を刈刃装置で切断した刈取物を機体の横方向に搬送させる刈取・搬送装置と、
前記刈取・搬送装置の側方に配置されて、当該刈取・搬送装置で刈取・搬送された刈取物が機体の進行方向に対し直角に倒れた際に、直接に地面に接地するのを避けるべく前記刈取物を受けるための刈取物受装置と、
前記刈取・搬送装置により機体の横方向に搬送されて、前記刈取物受装置に倒れ込んだ刈取物を拾い上げて後方に搬送するためのピックアップ装置と、
前記ピックアップ装置で拾い上げられた刈取物を後方に搬送する途中において短く切断するための切断装置と、
前記刈取物を前記切断装置で短く切断された刈取物切断片をロール状のロールベールに梱包成形するためのロールベーラ装置と、
を備え、前記刈取・搬送装置を除く各装置は、機体前方から後方に向けて上記順序で配設されていることを特徴とするホールクロップ用ロールベーラ。
【請求項２】
前記刈取物受装置は、機体に対して取り外し可能であることを特徴とする請求項１に記載のホールクロップ用ロールベーラ。
【請求項３】
圃場のホールクロップ作物を切断してロールベールに梱包成形するためのホールクロップ用ロールベーラであって、
機体の横方向にオフセットされて配設され、ホールクロップ作物を刈刃装置で切断した刈取物を前記機体の横方向に搬送させる刈取・搬送装置と、
前記刈取・搬送装置の側方に配設され、該刈取・搬送装置で刈り取られて横方向に搬送された後に倒された刈取物を受けて後方に搬送するための刈取物荷受用コンベア装置と、
前記刈取物荷受用コンベア装置の後方に配設されて、該コンベア装置で後方に搬送された刈取物を短く切断するための切断装置と、
前記切断装置の後方に配設されて、前記刈取物を前記切断装置で短く切断された刈取物切断片をロール状のロールベールに梱包成形するためのロールベーラ装置と、
を備えていることを特徴とするホールクロップ用ロールベーラ。
【発明の詳細な説明】
【０００１】
【発明の属する技術分野】
本発明は、ホールクロップ作物を刈り取って短く切断した刈取物切断片を梱包成形してロールベールに成形するためのロールベーラに関するものである。
【０００２】
【従来の技術】
従来のホールクロップ用ロールベーラとして、図１１及び図１２に示されものがある。このロールベーラは、機体７０の前部にその全幅に亘ってリール７１、刈刃７２及びオーガ７３が機体前方から後方に向けてこの順序で配設され、前記オーガ７３の後方に上方及び下方の各搬送コンベア７４，７５が機体７０の左側に偏して配設され、各搬送コンベア７４，７５の後方にロールベーラ装置８０が、同じく機体７０の左側に偏して配設された構成である。なお、前記各搬送コンベア７４，７５の右側方には、運転席８１が配設され、該運転席８１の後方にはバッテリー８２等の搭載物が搭載されている。なお、図９において、８４は、機体７０の左右両端に装着された一対のゴムクローラを示す。
【０００３】
そして、圃場のホールクロップ作物は、リール７１により刈刃７２の側に引き寄せられて、該刈刃７２によりその茎部を切断して刈り取った後に、前記オーガ７３により機体右側の刈取物は、その左側に寄せられた状態で、機体７０の後方に搬送される。前記オーガ７３により側方に搬送された刈取物は、前記上方搬送コンベア７４により最上部まで搬送された後に、下方搬送コンベア７５により下方に向けて搬送される。この刈取物は、下方に搬送される途中に配設された拡散オーガ７６により幅方向に拡散されて同方向の密度が均一化され、この状態で、ナイフ７７とかき込みドラム（カッティングドラム）７８とによって短く切断されて、ロールベーラ装置８０を構成するロールベール成形室８３に送入されてロール状のロールベールＲに成形される。
【０００４】
このように、従来のロールベーラは、機体７０の前方にリール７１、刈刃７２及びオーガ７３がその全幅に亘って装着されているために、機体前方へのオーバーハングも大きくなり、このために、ロールベーラの全長が長くなって、重量バランスが悪くなる。更に、部品点数が多く、構造的に複雑なためにコスト的にも高くなり、小区画や小規模作業には適さない。
【０００５】
また、ホールクロップ作物をその茎部で刈り取った刈取物がオーガ７３に対して縦方向に入ってゆくために、刈取物の切断長、及び短く切断された刈取物切断片の機体横方向に沿った密度のばらつきがあって、刈取物の切断精度が悪く、この精度を高めるために拡散オーガ７６の配設が必要となってくる。更に、一旦刈り取られて列状に収集されたウインドローを拾い上げてロールベールに成形するには、先端部の刈取・搬送装置（前記リール７１、刈刃７２及びオーガ７３で構成される部分）を外し、新たにピックアップ装置を装着し直さなければならないという問題もあった。
【０００６】
【発明が解決しようとする課題】
本発明は、ホールクロップ用ロールベーラにおいて、その前部の刈取・搬送装置の構成を簡素化して、本来のホールクロップ作物を刈り取る場合は勿論のこと、ウインドローに対しても容易に対応してロールベールに成形できるようにすることを課題としている。
【０００７】
【課題を解決するための手段】
上記課題を解決するための請求項１に記載の発明は、圃場のホールクロップ作物を切断してロールベールに梱包成形するためのホールクロップ用ロールベーラであって、機体の横方向にオフセットされて、ホールクロップ作物を刈刃装置で切断した刈取物を機体の横方向に搬送させる刈取・搬送装置と、前記刈取・搬送装置の側方に配置されて、当該刈取・搬送装置で刈取・搬送された刈取物が機体の進行方向に対し直角に倒れた際に、直接に地面に接地するのを避けるべく前記刈取物を受けるための刈取物受装置と、前記刈取・搬送装置により機体の横方向に搬送されて、前記刈取物受装置に倒れ込んだ刈取物を拾い上げて後方に搬送するためのピックアップ装置と、前記ピックアップ装置で拾い上げられた刈取物を後方に搬送する途中において短く切断するための切断装置と、前記刈取物を前記切断装置で短く切断された刈取物切断片をロール状のロールベールに梱包成形するためのロールベーラ装置とを備え、前記刈取・搬送装置を除く各装置は、機体前方から後方に向けて上記順序で配設されていることを特徴としている。
【０００８】
請求項１の発明によれば、刈取・搬送装置により刈り取られて横方向に搬送されたホールクロップ作物の刈取物は、前記刈取・搬送装置の側方に配設された刈取物受装置に横方向を向いた姿勢で倒れ込み、そのままの姿勢でピックアップ装置により拾い上げられて、後方に搬送されることにより切断装置により短く切断される。その後に短く切断された刈取物切断片は、ロールベーラ装置のベール成形室に送り込まれて、ロール状のロールベールに成形される。
【０００９】
このように、刈取物は、直接に地面に接地せず、しかも横方向を向いた姿勢で倒れ込んで、ピックアップ装置により拾い上げられるために、拾い残しがなくなると共に、横方向を向いた切断装置と同方向の姿勢をほぼ維持して、前記切断装置により切断されるために、刈取物の切断長、及び機体の横方向に沿った密度が均一となって、切断精度も高まる。また、刈取物を刈取物受装置で受けるために、軟弱な圃場条件であっても刈取物に土砂や泥水が付着することがないため、高品質のホールクロップサイレージ作りができる。
【００１０】
また、請求項２の発明は、請求項１の発明において、前記刈取物受装置は、機体に対して取り外し可能であることを特徴としている。
【００１１】
請求項２の発明によれば、機体に刈取物受装置が装着された状態では、圃場のホールクロップ作物を刈り取って梱包する作業を行えると共に、機体から刈取物受装置を取り外した状態では、予め刈り取られて圃場に列状に集草されているウインドローの梱包作業も行える。
【００１２】
【００１３】
【００１４】
また、請求項３の発明は、圃場のホールクロップ作物を切断してロールベールに梱包成形するためのホールクロップ用ロールベーラであって、機体の横方向にオフセットされて配設され、ホールクロップ作物を刈刃装置で切断した刈取物を前記機体の横方向に搬送させる刈取・搬送装置と、前記刈取・搬送装置の側方に配設され、該刈取・搬送装置で刈り取られて横方向に搬送された後に倒された刈取物を受けて後方に搬送するための刈取物荷受用コンベア装置と、前記刈取物荷受用コンベア装置の後方に配設されて、該コンベア装置で後方に搬送された刈取物を短く切断するための切断装置と、前記切断装置の後方に配設されて、前記刈取物を前記切断装置で短く切断された刈取物切断片をロール状のロールベールに梱包成形するためのロールベーラ装置とを備えていることを特徴としている。
【００１５】
請求項３の発明によれば、刈取・搬送装置により刈り取られて機体の側方に搬送された刈取物は、そのままの横方向を向いた姿勢で刈取物荷受用コンベア装置上に倒れ込んで、このままの姿勢で機体後方に搬送される。機体後方に搬送される刈取物は、その搬送途中において、切断装置により短く切断されて、ロールベーラ装置のベール成形室に送入されて、ロール状のロールベールに成形される。このように、請求項３の発明では、刈取・搬送装置の側方に配設された刈取物荷受用コンベア装置は、前記刈取・搬送装置で刈り取られて横方向に搬送されて倒れ込んだ刈取物を受け止める機能と、該刈取物を後方に搬送する機能との双方を有しているので、請求項１のロールベーラにおいては、不可欠であったピックアップ装置が不要となる。このため、ロールベーラの前部の構成が簡素化される。
【００１６】
【発明の実施の形態】
以下、実施形態を挙げて、本発明を更に詳細に説明する。図１は、本発明の第１実施形態のホールクロップ用ロールベーラの平面図であり、図２は、同じく側面図であり、図３は、同じく正面図であり、図４は、図１のＸ−Ｘ線概略断面図である。また、図５は、刈取・搬送装置Ａの拡大平面図であり、図６は、同じく側面図であり、図７は、刈取・搬送装置Ａの部分の伝動機構を示す。図１ないし図４に示されるように、本実施形態のロールベーラは、左右一対のゴムクローラ１を備えた機体２と、圃場のホールクロップ作物を刈り取って横方向に搬送するために、前記機体２の前部に左方に大きく偏して配設された刈取・搬送装置Ａと、該刈取・搬送装置Ａにより刈り取られた後に横方向に搬送されて倒れ込む刈取物Ｋ（図５参照）を受けるための刈取物受装置Ｂ1 と、該刈取物受装置Ｂ1 の上に倒れ込んだ刈取物Ｋを拾い上げて後方に搬送するためのピックアップ装置Ｃと、該ピックアップ装置Ｃで拾い上げられて後方に搬送される途中の刈取物Ｋを短く切断するための切断装置Ｄと、該切断装置Ｄにより切断された刈取物切断片を送入してロール状のロールベールに成形するためのロールベーラ装置Ｅとを備えている。
【００１７】
また、刈取・搬送装置Ａは、ホールクロップ作物を茎部で切断するための刈刃装置３と、該刈刃装置３で切断された刈取物Ｋを機体２の横方向に搬送するための後述の搬送手段とを備えている。機体２の前部には、各条のホールクロップ作物を起こして左右に分離させるために機体２の横方向に沿って所定間隔をおいて配置された複数のデバイダ４が配設されており、前記搬送手段は、各デバイダ４の斜上端部に傾斜軸５を中心として回転可能に支持された搬送プレート６と、前記各デバイダ４の後方の部分に機体２の横方向に沿った水平面内において周回走行する上下一対のチェーンコンベア７，８とで構成され、各チェーンコンベア７，８には、それぞれ一定ピッチをおいて搬送爪７ａ，８ａが取付けられている。刈取物Ｋは、その中間部、或いはこれよりも僅かに上方の部分を、前記搬送プレート６と上方のチェーンコンベア７の搬送爪７ａとの間で挟まれると共に、その下端の茎部の部分を下方チェーンコンベア８の搬送爪８ａに引っ掛けられて、ほぼ起立したままの姿勢で右側方に搬送される。
【００１８】
次に、図５ないし図７を参照して、前記搬送手段の伝動機構について簡単に説明する。即ち、前記刈取・搬送装置Ｃの回転軸の回転力は、ユニバーサルジョイント９を介して上方及び下方の各チェーンコンベア７，８の左端部に配設された第１ギアボックス１１の入力軸１２に入力されて、該第１ギアボックス１１の内部において伝動方向が９０°変換され、その出力軸１３と、前記上方及び下方の各チェーンコンベア７，８の長手方向のほぼ中央部に配設された第２ギアボックス１４の入力軸１５とがチェーン伝動装置１６で連結されている。この第２ギアボックス１４の内部においても、動力の伝動方向は９０°変換されている。
【００１９】
ここで、図７に示されるように、上方チェーンコンベア７は、その左側端部に垂直に配設された共通垂直駆動軸１７と、その右側端部に垂直に配設された第１垂直支持軸１８とにそれぞれ取付けられたチェーン歯車１９，２１に掛装されている。一方、下方チェーンコンベア８は、前記共通垂直駆動軸１７と、前記第１垂直支持軸１８よりも僅かに左側に配設された第２垂直支持軸２２とにそれぞれ取付けられたチェーン歯車２３，２４の間に掛装されている。第２ギアボックス１４の出力軸２５と、前記共通垂直駆動軸１７とにそれぞれ取付けられたチェーン歯車２６，２７にチェーン２８が掛装されて、前記共通垂直駆動軸１７が駆動回転する。また、第２ギアボックス１４の出力軸２５は垂直下方を向いていて、その下端の偏心軸２９は、前記刈刃装置３の基板３ａに設けられた係合孔（図示せず）に挿入され、前記偏心軸２９の偏心回転によって、前記刈刃装置３の多数の刈刃３ｂは、左右方向に往復揺動して、ホールクロップ作物の茎部を切断して刈り取るようになっている。なお、図１、図５及び図６において、３１は、上方チェーンコンベア７の上方を覆っている上カバーであり、３２は、上方及び下方の各チェーンコンベア７，８の間に形成された空間部の前方を覆っている前カバーであり、３３は、前記上カバー３１の右側の終端部に連続して設けられて、ほぼ起立姿勢の刈取物Ｋを僅かに前側に向けて横倒れさせるためのストリッバカバーである。
【００２０】
また、刈取物受装置Ｂ1 は、刈取・搬送装置Ａの右側方に配置され、該刈取・搬送装置Ａで横方向に搬送されて、そのまま横方向に倒れ込んだ刈取物Ｋを受けるための装置であって、板状、或いはくし状をなしていて、その前端が高くなるように傾斜して配設されている（図４参照）。また、ピックアップ装置Ｃは、前記刈取物受装置Ｂ1 の後方に機体２の横方向に沿って配置され、前半部がほぼ半円筒状となった案内体４１に横方向に沿って所定間隔をおいて多数のタイン溝４２が周方向に設けられて、回転体の外周に取付けられた複数のピックアップタイン４３を前記タイン溝４２から突出させて、前記刈取物受装置Ｂ1 に横方向を向いて倒れ込んだ刈取物Ｋをほぼそのままの姿勢で前記ピックアップタイン４３で拾い上げて、後方に搬送させる。
【００２１】
また、切断装置Ｄは、ピックアップ装置Ｃにより刈取物受装置Ｂ1 の上から拾い上げて後方に搬送された刈取物Ｋを短く切断する装置であって、機体２に固定されたナイフ４４と、側面視で前記ナイフ４４と部分交差するように配置されたかき込みドラム（カッティングドラム）４５とで構成される。
【００２２】
また、ロールベーラ装置Ｅは、刈取物Ｋを切断装置Ｄで短く切断した刈取物切断片をロール状に梱包成形する装置であって、図４に詳細に示されている。機体２に固定された前チャンバー５１と、該前チャンバー５１の後上端部の支点５２を中心にして後上方に回動可能に連結された後チャンバー５３とから成って、両チャンバー５１，５３により、全体が一つのチャンバー（成形室）が形成される。また、図４に示されるように、後チャンバー５３が閉じた状態で、機体２の横方向に配置された多数本の成形バーを無端状に連結した成形バー装置５４は、前記切断装置Ｄと対向する部分が欠落された二重環状走行路を周回走行して、該二重環状走行路のうち内側走行路の内部がベール成形室５５となっている。
【００２３】
そして、前記かき込みドラム４５の回転によりベール成形室５５に送り込まれた刈取物切断片は、周方向に連れ回されながら、その体積が徐々に増大され、前記ベール成形室５５に刈取物切断片が充満されると、ロール状に梱包成形された刈取物切断片は、その半径方向及び軸方向の双方に沿って強く圧縮されることにより、強く締め付けられたロールベールＲとなる。なお、図４において、５６は、梱包成形された前記ロールベールＲの外周を結束するトワインを繰り出すためのトワイン繰出装置であり、５７は、ベール成形室５５で成形されたロールベールＲを機体後方に転動排出させる際に、その転動案内をする案内板であり、更に５８は、前記切断装置Ｄから前記ベール成形室５５に折り込まれる刈取物切断片の送り込みを助けるための搬送ローラである。
【００２４】
また、図１に示されるように、前記刈取・搬送装置Ａは、ロールベーラ装置Ｅを基準にすると、その前方左横に配設されており、前記刈取・搬送装置Ａの後方であって、前記ロールベーラ装置Ｅの左側方には、運転操作部６１及び運転座席６２が配設されている。なお、図１ないし図３において、６３は、運転操作部６１に設けられた走行クラッチレバーであり、６４は、運転座席６２の後方に配置されたエンジンである。
【００２５】
そして、圃場のホールクロップ作物Ｋ’を刈り取ってロールベールＲに成形する場合には、図８に示されるように、ホールクロップ作物Ｋ’の各条の間に各デバイダ４を配置してロールベーラを走行させる。各条のホールクロップ作物Ｋ’は、側方に倒れている場合にはデバイダ４により起立させられて、刈取・搬送装置Ａの刈刃装置３により茎部を切断された後に、搬送プレート６と上方及び下方の各チェーンコンベア７，８の作用により機体２の右横方向に搬送される。そして、上方の第１チェーンコンベア７の右端側の端部は、下方のチェーンコンベア８のそれよりも右側に位置しているために、下方のチェーンコンベア８による右方への搬送が停止した後も、刈取物Ｋの中間部は上方のチェーンコンベア７により更に右方に搬送されると共に、上カバー３１に連続したストリッパカバー３３の部分において僅かに前側に倒れた姿勢となって、そのまま刈取物受装置Ｂ1 に倒れ込む。この刈取物受装置Ｂ1 は、後端が低くなるように傾斜しているために、該受装置Ｂ1 に横倒しとなった刈取物Ｋは、ピックアップ装置Ｃの側に滑り込んで、横方向を向いたままの姿勢で拾い上げられて、後方に搬送される。
【００２６】
また、ピックアップ装置Ｃにより刈取物受装置Ｂ1 の上から拾い上げられて後方に搬送された刈取物Ｋは、ナイフ４４とかき込みドラム４５とから成る切断装置Ｄにより短く切断された後に、前記かき込みドラム４５及び搬送ローラ５８の各回転作用により、ロールベーラ装置Ｅのベール成形室５５に送り込まれる。このように、刈取・搬送装置Ａにより刈り取られて横方向に搬送された刈取物Ｋは、刈取物受装置Ｂ1 の上に倒れ込んで一時的に保持され、その後にピックアップ装置Ｃにより拾い上げられるために、拾い残しがなくなって、円滑に後方に搬送される。また、刈取物Ｋは、切断装置Ｄと同方向である機体２の横方向を向いた姿勢のままで、該切断装置Ｄによって短く切断されるために、切断精度も高まる。このため、刈取物切断片の長さのばらつき、或いは機体２の横方向に沿った刈取物切断片の密度が均一となる。
【００２７】
そして、ベール成形室５５に送り込まれた刈取物切断片は、上記したように、成形バー装置５４の周回走行によって、周方向に連れ回されながら、その体積が徐々に増大されて、ロール状のロールベールＲに成形される。ロールベールＲの成形後には、図４に示されるように、ロールベーラ装置Ｅの後チャンバー５３を後斜上方に回動させて、前記ベール成形室５５の後方を開放させると、成形されたロールベールＲは、案内板５７により案内されながら転動して、機体２の後方に排出される。
【００２８】
一方、コンバインから排出された稲わらや、モアー等で一旦刈り取られて集草されたウインドローＷを拾い上げてロールベールＲに成形する場合には、図９に示されるように、刈取物受装置Ｂ1 を取り外して、ピックアップ装置Ｃを機体２の最前部に臨ませて、該ピックアップ装置ＣをウインドローＷの位置に配置して、ロールベーラを走行させて行う。これにより、通常のロールベーラと同様に、前記稲わら、ウインドローＷは、ピックアップ装置Ｃにより直接に拾い上げられて梱包される。
【００２９】
また、刈取物受装置Ｂ1 を取り外して、ピックアップ装置Ｃで直接に拾い上げて梱包する場合の梱包対象としては、上記した稲わら、モアー等で一旦刈り取られた集草物等のウインドローＷの他に、以下の梱包対象もある。散播状態で栽培されたホールクロップ作物や牧草及び雑草等を比較的土壌水分の少ない好条件の圃場で刈取・梱包する場合には、刈取・搬送装置で刈り取られた刈取物は、刈株上に倒されるため、直接に土砂に接触しない状態でピックアップ装置で拾い上げることが可能であるので、上記したウインドローＷの場合と同様に、刈取物受装置Ｂ1 を装備しなくても、拾い上げて梱包することができる。
【００３０】
また、図１０に示される第２実施形態のロールベーラは、前記第１実施形態のロールベーラに対して、板状又はくし状をした刈取物受装置Ｂ1 に替えて、コンベア構造をした刈取物荷受用コンベア装置Ｂ2 を使用していること、及び第１実施形態のロールベーラで使用していたピックアップ装置Ｃを不要にしていることの２点が異なる。そして、前記刈取物荷受用コンベア装置Ｂ2 は、その後端部が高くなるように傾斜し、しかも後端部が切断装置Ｄに近接するようにして、該切断装置Ｄの手前側であって、刈取・搬送装置Ａの側方に配設されている。
【００３１】
上記構成によって、圃場のホールクロップ作物を刈り取って梱包する場合には、刈取・搬送装置Ａにより刈り取られて機体２の横方向に搬送された刈取物は、横方向を向いたままの姿勢で前記刈取物荷受用コンベア装置Ｂ2 の上に倒れ込んで、そのままの横方向を向いた姿勢で機体２の斜上後方に向けて搬送されて、切断装置Ｄに送り込まれて、短く切断される。その後の梱包作用は、上述の通りである。
【００３２】
このように、刈取物は、切断装置Ｄに対しては、これと同方向である機体２の横方向に沿った姿勢を維持したままで送り込まれて短く切断されるので、その切断長、及び機体２の横方向に沿った刈取物切断片の密度の双方が均一となって、切断精度が高まる。また、第１実施形態では不可欠であったピックアップ装置Ｃが不要となって、ロールベーラ全体として一層の簡素化が図られる。
【００３３】
【発明の効果】
本発明に係るロールベーラは、機体の横方向にオフセットされて、ホールクロップ作物を刈刃装置で切断した刈取物を機体の横方向に搬送させる刈取・搬送装置と、前記刈取・搬送装置の側方に配置されて、当該刈取・搬送装置で刈取・搬送された刈取物が機体の進行方向に対し直角に倒れた際に、直接に地面に接地するのを避けるべく前記刈取物を受けるための刈取物受装置とを備えているので、前記刈取物受装置の着脱によって、圃場のホールクロップ作物を刈り取って梱包する作業と、予め刈り取られて圃場に列状に集草されているウインドローの梱包作業との双方を行える。また、同様の理由で、機体前方へのオーバーハング長が短くなる結果、ロールベーラの全長が短くなって、小区画や小規模作業にも対応可能となる。
【図面の簡単な説明】
【図１】  本発明の第１実施形態のホールクロップ用ロールベーラの平面図である。
【図２】  同じく側面図である。
【図３】  同じく正面図である。
【図４】  図１のＸ−Ｘ線概略断面図である。
【図５】  刈取・搬送装置Ａの拡大平面図である。
【図６】  同じく側面図である。
【図７】  刈取・搬送装置Ａの部分の伝動機構を示す。
【図８】  第１実施形態のロールベーラによりホールクロップ作物Ｋ’を刈り取って梱包する作業を示す概略平面図である。
【図９】  同じくウインドローＷを拾い上げて梱包する作業の概略平面図である。
【図１０】  刈取物荷受用コンベア装置Ｂ2 を備えた本発明の第２実施形態のロールベーラの概略側面断面図である。
【図１１】  従来のロールベーラの平面図である。
【図１２】  同じく側面図である。
【符号の説明】
Ａ：刈取・搬送装置
Ｂ1 ：刈取物受装置
Ｂ2 ：刈取物荷受用コンベア装置
Ｃ：ピックアップ装置
Ｄ：切断装置
Ｅ：ロールベーラ装置
Ｋ：刈取物
Ｋ’：ホールクロップ作物
Ｒ：ロールベール
Ｗ：ウインドロー
３：刈刃装置
【図１】
0003860019.tif 000002
【図２】
0003860019.tif 000003
【図３】
0003860019.tif 000004
【図４】
0003860019.tif 000005
【図５】
0003860019.tif 000006
【図６】
0003860019.tif 000007
【図７】
0003860019.tif 000008
【図８】
0003860019.tif 000009
【図９】
0003860019.tif 000010
【図１０】
0003860019.tif 000011
【図１１】
0003860019.tif 000012
【図１２】
0003860019.tif 000013